(57)【要約】【課題】  ケーブルのネットワーク機器に対する接続状態の維持を充分にする。【解決手段】  レバー１２が取り付けられ、レバー１２を押すとケーブル接続機器に対して着脱可能となるコネクタ本体１１をケーブル接続機器に対して接続したままの状態に維持する接続状態維持具であって、レバー１２とコネクタ本体１１との間に配置されている押圧防止プレート２の水平部分２ａと、コネクタ本体１１に取り付けられている取付具１と、取付具１に押圧防止プレート２を固定するロック用ねじ４とを備えたので、レバー１２の先端１２ａをコネクタ本体１１に向かって押しきることができず、コネクタ本体１１を雌コネクタ１０２から引き抜くことができない。したがって、コネクタ本体１１がネットワーク機器１００から不用意に抜かれてしまうことを防止でき、ケーブル２０のネットワーク機器１００に対する接続状態の維持を充分に行うことができる。【選択図】  図３
2006185796.tif 000002
【特許請求の範囲】
【請求項１】
レバーを有し、前記レバーを押すとケーブル接続機器に対して着脱可能となるコネクタを前記ケーブル接続機器に対して接続したままの状態に維持する接続状態維持具であって、
前記レバーを押すことを防止する押圧防止手段、
を備えた接続状態維持具。
【請求項２】
請求項１に記載の接続状態維持具であって、
前記レバーがコネクタ本体に向かって押されたときに前記ケーブル接続機器に対して着脱可能となり、
前記押圧防止手段は、前記レバーと前記コネクタ本体との間に配置されている、
接続状態維持具。
【請求項３】
請求項２に記載の接続状態維持具であって、
前記コネクタに取り付けられる取付手段と、
前記取付手段に前記押圧防止手段を固定する固定手段と、
を備えた接続状態維持具。
【請求項４】
請求項１に記載の接続状態維持具であって、
前記押圧防止手段は、前記レバーが押圧を受ける先端の近辺を覆う、
接続状態維持具。
【請求項５】
請求項４に記載の接続状態維持具であって、
前記押圧防止手段は、前記コネクタに取り付けられている、
接続状態維持具。
【請求項６】
請求項１ないし５のいずれか一項に記載の接続状態維持具であって、
前記コネクタと前記ケーブル接続機器との間に挟まれることにより、前記コネクタに対して固定される、
接続状態維持具。
【発明の詳細な説明】
【技術分野】
【０００１】
本発明はＵＴＰケーブルのモジュラージャックなどのコネクタの接続状態の維持に関する。
【背景技術】
【０００２】
従来より、ネットワーク機器にＵＴＰ(Un-shielded
Twisted Pair)ケーブルを接続することが広く行なわれている。通常、ＵＴＰケーブルのコネクタはネットワーク機器に対して自由に着脱できる。しかし、ネットワーク機器（例えば、ルータ）への不正な接続を防止するために、ネットワーク機器側のコネクタの接続の可／不可を切り替え、その状態を固定する技術も提案されている（例えば、特許文献１を参照）。
【０００３】
【特許文献１】特開平１１−１５４５６６号公報
【発明の開示】
【発明が解決しようとする課題】
【０００４】
しかしながら、上記の従来技術によれば、ネットワーク機器への不正な接続を防止できるものの、ネットワーク機器から不用意にＵＴＰケーブルが抜かれてしまうことを防止できない。すなわち、ネットワーク機器に対するＵＴＰケーブルの接続状態の維持が充分ではないということがいえる。
【０００５】
そこで、本発明は、ケーブルのネットワーク機器に対する接続状態の維持を充分にすることを課題とする。
【課題を解決するための手段】
【０００６】
本発明は、レバーを有し、前記レバーを押すとケーブル接続機器に対して着脱可能となるコネクタを前記ケーブル接続機器に対して接続したままの状態に維持する接続状態維持具であって、前記レバーを押すことを防止する押圧防止手段を備えるように構成される。
【０００７】
上記のように構成された発明によれば、レバーを有し、前記レバーを押すとケーブル接続機器に対して着脱可能となるコネクタを前記ケーブル接続機器に対して接続したままの状態に維持する接続状態維持具が提供される。押圧防止手段は、前記レバーを押すことを防止する。
【０００８】
また、本発明は、前記レバーがコネクタ本体に向かって押されたときに前記ケーブル接続機器に対して着脱可能となり、前記押圧防止手段は、前記レバーと前記コネクタ本体との間に配置されているようにしてもよい。
【０００９】
また、本発明は、前記コネクタに取り付けられる取付手段と、前記取付手段に前記押圧防止手段を固定する固定手段とを備えるようにしてもよい。
【００１０】
また、本発明は、前記押圧防止手段が、前記レバーが押圧を受ける先端の近辺を覆うようにしてもよい。
【００１１】
また、本発明は、前記押圧防止手段が、前記コネクタに取り付けられているようにしてもよい。
【００１２】
また、本発明は、前記コネクタと前記ケーブル接続機器との間に挟まれることにより、接続状態維持具が、前記コネクタに対して固定されるようにしてもよい。
【発明を実施するための最良の形態】
【００１３】
以下、本発明の実施形態を図面を参照しながら説明する。
【００１４】
第一の実施形態
図１は、本発明の第一の実施形態にかかる接続状態維持具をコネクタ１０に取り付ける前の状態を示す斜視図である。コネクタ１０はケーブル２０の端部に取り付けられている。コネクタ１０は、例えばモジュラージャックである。ケーブル２０は、例えばＵＴＰ(Un-shielded Twisted Pair)ケーブルである。
【００１５】
ネットワーク機器１００は、ケーブル２０が接続されるケーブル接続機器である。ネットワーク機器１００は、例えばルータ、スイッチであり、雌コネクタ１０２を有する。
【００１６】
コネクタ１０は、コネクタ本体１１、レバー１２を有する。コネクタ本体１１およびレバー１２は周知のものであるため、簡略に説明する。コネクタ本体１１は、ケーブル２０の端部に取り付けられている。レバー１２は、コネクタ本体１１に設置されている。図１においては、レバー１２は、コネクタ本体１１の下方に設置されている。コネクタ１０を、雌コネクタ１０２に挿入させきると、レバー１２がはねあがる。これにより、コネクタ１０が雌コネクタ１０２に取り付けられる。また、この状態で、レバー１２をコネクタ本体１１に向けて押すと、コネクタ１０を雌コネクタ１０２から引き抜くことができる。
【００１７】
接続状態維持具は、取付具１、押圧防止プレート（押圧防止手段）２、ロック用ねじ（固定手段）４を備える。
【００１８】
取付具１は、コネクタ本体１１に取り付けられる。取付具１にはレバー１２と同じ側（図１においては下方）に雌ネジ１ａが設けられている。
【００１９】
押圧防止プレート（押圧防止手段）２は、ロック用ねじ（固定手段）４により、取付具１に固定される。ロック用ねじ４は、雌ネジ１ａにねじこまれる雄ねじである。押圧防止プレート２は水平部分２ａおよび垂直部分２ｂを有する。水平部分２ａおよび垂直部分２ｂは平面状のものである。水平部分２ａは、垂直部分２ｂと直交している。
【００２０】
ロック用ねじ４としては、ありふれたプラスやマイナスのねじを用いることも考えられるが、特殊なねじ（例えば、TORX（トルクス）（登録商標）のねじ）を使用することが好ましい。TORX（トルクス）（登録商標）のねじを回すことができるドライバは、プラスやマイナスのドライバに比べて、さほど普及していない。よって、ロック用ねじ４が不用意に取付具１から外されることを防止しやすい。ロック用ねじ４を取り外すと、押圧防止プレート２を取付具１から取り外すことができ、コネクタ１０を雌コネクタ１０２から抜くことができる。
【００２１】
図２は、本発明の第一の実施形態にかかる接続状態維持具をコネクタ１０に取り付けた後の状態を示す斜視図である。図３は、本発明の第一の実施形態にかかる接続状態維持具をコネクタ１０に取り付けた後の状態を示す側面図である。
【００２２】
取付具１は、コネクタ本体１１の手前側（雌コネクタ１０２から遠ざかる側）に取り付けられる。押圧防止プレート２の水平部分２ａは、コネクタ本体１１とレバー１２との間に配置される（図３参照）。垂直部分２ｂは、ロック用ねじ４の頭部と取付具１との間にはさみこまれる。ロック用ねじ４は雌ネジ１ａにねじこまれるので、押圧防止プレート２は取付具１に固定される。
【００２３】
図３を参照して、レバー１２の先端１２ａを点線矢印の方向に（コネクタ本体１１に向かって）押そうとしたとする。この場合、レバー１２が押圧防止プレート２の水平部分２ａにぶつかってしまい、レバー１２を押しきれない。
【００２４】
次に、第一の実施形態の動作を説明する。
【００２５】
まず、取付具１をコネクタ本体１１に向かい合わせて配置する。図４は、取付具１をコネクタ本体１１に向かい合わせて配置した状態を示す側面図である。なお、図４においては、取付具１は断面を示している。この状態で、コネクタ本体１１を、矢印方向に移動させて、取付具１に通す。なお、コネクタ本体１１の手前側（取付具１から遠い側）には凸部１１ａが設けられている。
【００２６】
図５は、取付具１をコネクタ本体１１に通し終えた状態を示す側面図である。コネクタ本体１１を取付具１に通すと、凸部１１ａが取付具１の段差１ｓにぶつかって、矢印Ａ方向（ネットワーク機器１００から遠ざかる方向）には動かなくなる。この状態で、コネクタ本体１１を取付具１ごと、矢印Ｂ方向に動かして、ネットワーク機器１００の雌コネクタ１０２に近づける。すると、コネクタ本体１１が雌コネクタ１０２に挿入される。
【００２７】
図６は、コネクタ本体１１が雌コネクタ１０２に挿入されきった状態を示す側面図である。コネクタ本体１１が雌コネクタ１０２に挿入されきると、レバー１２がはねあがる。これにより、コネクタ１０が雌コネクタ１０２に取り付けられる。また、取付具１が、コネクタ本体１１とネットワーク機器１００との間に挟みこまれるので、取付具１がコネクタ本体１１から脱落しない。この状態で、押圧防止プレート２の水平部分２ａを矢印方向に動かして、取付具１に挿入する。この際、垂直部分２ｂにあけられた穴（図１参照）を、雌ネジ１ａにあわせる。さらに、ロック用ねじ４を矢印方向に動かして垂直部分２ｂにあけられた穴を通す。そして、ロック用ねじ４を雌ネジ１ａにねじこむ。
【００２８】
図７は、押圧防止プレート２が取付具１に固定された状態を示す側面図である。図３を参照して説明した場合と同様に、レバー１２の先端１２ａを矢印方向に（コネクタ本体１１に向かって）押そうとしても、レバー１２が押圧防止プレート２にぶつかってしまい、レバー１２を押しきれない。レバー１２を押しきれればコネクタ１０を雌コネクタ１０２から引き抜くことができる。しかし、レバー１２を押しきれないので、コネクタ１０を雌コネクタ１０２から引き抜くことができない。よって、コネクタ１０のネットワーク機器１００に対する接続状態が維持できる。
【００２９】
第一の実施形態によれば、押圧防止プレート２の水平部分２ａが、コネクタ本体１１とレバー１２との間に配置されるので、レバー１２をコネクタ本体１１に向かって押しきることができず、コネクタ１０を雌コネクタ１０２から引き抜くことができない。したがって、コネクタ１０がネットワーク機器１００から不用意に抜かれてしまうことを防止でき、ケーブル２０のネットワーク機器１００に対する接続状態の維持を充分に行うことができる。
【００３０】
また、取付具１を、コネクタ本体１１とネットワーク機器１００との間に挟みこんで、コネクタ本体１１に対して固定するので、取付具１を固定するためのねじを不要とすることができる。
【００３１】
さらに、取付具１は小型なので、互いに隣接する雌コネクタ１０２に接続されるケーブル２０に取り付けられたコネクタ１０に取付具１を取り付けることも可能である。
【００３２】
第二の実施形態
第二の実施形態は、第一の実施形態における押圧防止プレート２の代りに、レバーカバー（押圧防止手段）１ｂによって、レバー１２をコネクタ本体１１に向かって押すことを防止している。なお、レバーカバー１ｂ以外は、第一の実施形態と同様であり、説明を省略する。ただし、押圧防止プレート２およびロック用ねじ４は使用しない。
【００３３】
図８は、本発明の第二の実施形態にかかる接続状態維持具をコネクタ１０に取り付けた後の状態を示す斜視図である。図９は、本発明の第二の実施形態にかかる接続状態維持具をコネクタ１０に取り付けた後の状態を示す側面図である。
【００３４】
第二の実施形態にかかる接続状態維持具は、取付具１を備える。取付具１にはレバー１２と同じ側（図８においては下方）にレバーカバー（押圧防止手段）１ｂが設けられている。
【００３５】
レバーカバー（押圧防止手段）１ｂは、レバー１２の先端１２ａ（図３参照）を覆っている。レバーカバー１ｂが設けられている取付具１は、第一の実施形態と同様に、コネクタ本体１１に取り付けられている。
【００３６】
なお、第二の実施形態にかかる取付具１は、第一の実施形態と同様に、コネクタ本体１１に取り付けることができる。
【００３７】
第二の実施形態によれば、レバーカバー１ｂが、レバー１２の先端１２ａを覆っているので、レバー１２の先端１２ａの付近をコネクタ本体１１に向かって押しきることができず、コネクタ１０を雌コネクタ１０２から引き抜くことができない。したがって、コネクタ１０がネットワーク機器１００から不用意に抜かれてしまうことを防止でき、ケーブル２０のネットワーク機器１００に対する接続状態の維持を充分に行うことができる。
【００３８】
しかも、レバーカバー１ｂを破壊しない限り、レバー１２の先端１２ａの付近をコネクタ本体１１に向かって押しきることができないため、ケーブル２０のネットワーク機器１００に対する接続状態の維持を高度に果たすことができる。特に、ケーブル２０をネットワーク機器１００に接続したら二度と外さないという場合に有効である。
【図面の簡単な説明】
【００３９】
【図１】本発明の第一の実施形態にかかる接続状態維持具をコネクタ１０に取り付ける前の状態を示す斜視図である。
【図２】本発明の第一の実施形態にかかる接続状態維持具をコネクタ１０に取り付けた後の状態を示す斜視図である。
【図３】本発明の第一の実施形態にかかる接続状態維持具をコネクタ１０に取り付けた後の状態を示す側面図である。
【図４】取付具１をコネクタ本体１１に向かい合わせて配置した状態を示す側面図である。
【図５】取付具１をコネクタ本体１１に通し終えた状態を示す側面図である。
【図６】コネクタ本体１１が雌コネクタ１０２に挿入されきった状態を示す側面図である。
【図７】押圧防止プレート２が取付具１に固定された状態を示す側面図である。
【図８】本発明の第二の実施形態にかかる接続状態維持具をコネクタ１０に取り付けた後の状態を示す斜視図である。
【図９】本発明の第二の実施形態にかかる接続状態維持具をコネクタ１０に取り付けた後の状態を示す側面図である。
【符号の説明】
【００４０】
１  取付具
１ａ  雌ネジ
１ｂ  レバーカバー（押圧防止手段）
２  押圧防止プレート（押圧防止手段）
２ａ  水平部分
２ｂ  垂直部分
４  ロック用ねじ（固定手段）
１０  コネクタ
１１  コネクタ本体
１２  レバー
１２ａ  先端
２０  ケーブル
１００  ネットワーク機器
１０２  雌コネクタ
【図１】
2006185796.tif 000003
【図２】
2006185796.tif 000004
【図３】
2006185796.tif 000005
【図４】
2006185796.tif 000006
【図５】
2006185796.tif 000007
【図６】
2006185796.tif 000008
【図７】
2006185796.tif 000009
【図８】
2006185796.tif 000010
【図９】
2006185796.tif 000011